(57)【要約】【課題】  手順データの形式や内容を解析することなく、画像データの処理手順を識別可能な画像処理装置及び画像処理プログラムを提供する。【解決手段】  選択手段２８は、被写体像を撮像することにより得られた複数の画像から、撮像日時を示す日時データを用いて、連続して撮像された画像群を選択する。処理手段２８は、画像群を構成する各画像の明るさに応じて、各画像を構成する画像データを平均する平均処理及び、各画像を構成する画像データを加算する加算処理のいずれかを行う。【選択図】      図１
2007124387.tif 000002
【特許請求の範囲】
【請求項１】
被写体像を撮像することにより得られた複数の画像から、撮像日時を示す日時データを用いて、連続して撮像された画像群を選択する選択手段と、
前記画像群を構成する各画像の明るさに応じて、前記各画像を構成する画像データを平均する平均処理及び、前記各画像を構成する画像データを加算する加算処理のいずれかを行う処理手段とを備えることを特徴とする画像処理装置。
【請求項２】
請求項１記載の画像処理装置において、
前記処理手段は、前記画像群を構成する全ての画像の明るさが基準値を超えるとき、前記平均処理を行い、前記全ての画像の明るさが基準値以下であるとき、前記加算処理を行うことを特徴とする画像処理装置。
【請求項３】
請求項２記載の画像処理装置において、
前記処理手段は、
前記基準値が予め決められた上限値以下で、かつ、予め決められた下限値以上である場合、前記全ての画像の明るさが前記上限値以下で、かつ、前記基準値を超えるときに前記平均処理を行い、前記全ての画像の明るさが基準値以下で、かつ、前記下限値以上であるときに前記加算処理を行うことを特徴とする画像処理装置。
【請求項４】
請求項２記載の画像処理装置において、
前記処理手段は、
前記画像群を構成する各画像の明るさの最大値と最小値の差分値が所定の閾値より小さいと判断されたときに、前記平均処理、及び前記加算処理のいずれかが行われることを許容することを特徴とする画像処理装置。
【請求項５】
請求項２記載の画像処理装置において、
前記処理手段は、前記全ての画像の撮像に用いた焦点が同じ場合のみ、前記平均処理及び前記加算処理のいずれかを行うことを特徴とする画像処理装置。
【請求項６】
請求項１記載の画像処理装置において、
前記画像群を表示する画面と、
前記画面に、前記平均処理に用いられる画像群と前記加算処理に用いられる画像群とを区別して表示する表示制御手段とを備えることを特徴とする画像処理装置。
【請求項７】
コンピュータを、
被写体像を撮像することにより得られた複数の画像から、撮像日時を示す日時データを用いて、連続して撮像された画像群を選択し、前記画像群を構成する各画像の明るさに応じて、前記各画像を構成する画像データを平均する平均処理及び、前記各画像を構成する画像データを加算する加算処理のいずれかを行う処理手段として機能させるための画像処理プログラム。
【請求項８】
請求項７記載の画像処理プログラムにおいて、
前記処理手段は、前記画像群を構成する全ての画像の明るさが基準値を超えるとき、前記平均処理を行い、前記全ての画像の明るさが基準値以下であるとき、前記加算処理を行うことを特徴とする画像処理プログラム。
【請求項９】
請求項８記載の画像処理プログラムにおいて、
前記処理手段は、
前記基準値が予め決められた上限値以下で、かつ、予め決められた下限値以上である場合、前記全ての画像の明るさが前記上限値以下で、かつ、前記基準値を超えるときに前記平均処理を行い、前記全ての画像の明るさが基準値以下で、かつ、前記下限値以上であるときに前記加算処理を行うことを特徴とする画像処理プログラム。
【請求項１０】
請求項８記載の画像処理プログラムにおいて、
前記処理手段は、
前記画像群を構成する各画像の明るさの最大値と最小値の差分値が所定の閾値より小さいと判断されたときに、前記平均処理、及び前記加算処理のいずれかが行われることを許容することを特徴とする画像処理プログラム。
【請求項１１】
請求項８記載の画像処理プログラムにおいて、
前記処理手段は、前記全ての画像の撮像に用いた焦点が同じ場合のみ、前記平均処理及び前記加算処理のいずれかを行うことを特徴とする画像処理プログラム。
【請求項１２】
請求項７記載の画像処理プログラムにおいて、
前記コンピュータを、
前記画像群を表示する画面に、前記平均処理に用いられる画像群と前記加算処理に用いられる画像群とを区別して表示する表示制御手段として更に機能させるための画像処理プログラム。
【発明の詳細な説明】
【技術分野】
【０００１】
本発明は、撮像された複数の画像に画像処理を行う画像処理装置及び画像処理プログラムに関する。
【背景技術】
【０００２】
従来、デジタルカメラの撮像モードには、例えば、ＣＣＤ（Charge Coupled Device）等の撮像素子により、手振れ等が生じない程度の短い露光時間で被写体像を連続して撮像する手振れ抑制モードや、被写体像が暗いときに撮像素子の撮像感度を上げて、被写体像を連続して撮像するノイズ低減モードがある。
手振れ抑制モードでは、撮像された複数の画像データを加算することで、適正な露光の合成画像が生成される（加算処理）。ノイズ低減モードでは、撮像された複数の画像データに含まれるノイズ成分を低減するために、複数の画像データを平均して合成画像が生成される（平均処理）。
【０００３】
ところで、上述した加算処理や平均処理が、例えばパーソナルコンピュータで実行される際には、デジタルカメラからパーソナルコンピュータに大量の画像データが転送される場合がある。この場合、パーソナルコンピュータが、大量の画像データのそれぞれに適した画像処理（加算処理や平均処理）の手順を把握することは困難である。
これを回避する手法として、画像データ毎に画像処理の手順を示す手順データを画像データに付加して画像ファイルを作成し、作成した画像ファイルをデジタルカメラからパーソナルコンピュータに転送する手法が開示されている（例えば、特許文献１）。この手法では、転送先のパーソナルコンピュータにインストールされた専用のソフトウェアによって手順データが解析され、画像データ毎に画像処理の手順が識別される。この結果、各画像データに適した画像処理が行われ、上述の合成画像が生成される。
【特許文献１】特開２００２−１１２００８号公報
【発明の開示】
【発明が解決しようとする課題】
【０００４】
しかしながら、特許文献１の手法では、手順データの形式や内容を解析するための特別な処理が専用のソフトウェアのみで可能である。したがって、専用のソフトウェア以外の他のソフトウェアでは、手順データの形式や内容を解析できず、画像データ毎に画像処理の手順を識別できない。このため、合成画像を生成できないという問題があった。
本発明の目的は、手順データの形式や内容を解析することなく、合成画像を生成可能な画像処理装置及び画像処理プログラムを提供することである。
【課題を解決するための手段】
【０００５】
請求項１の画像処理装置では、選択手段は、被写体像を撮像することにより得られた複数の画像から、撮像日時を示す日時データを用いて、連続して撮像された画像群を選択する。処理手段は、画像群を構成する各画像の明るさに応じて、各画像を構成する画像データを平均する平均処理及び、各画像を構成する画像データを加算する加算処理のいずれかを行う。
【０００６】
請求項２の画像処理装置及び請求項８の画像処理プログラムでは、処理手段は、画像群を構成する全ての画像の明るさが基準値を超えるとき、平均処理を行い、全ての画像の明るさが基準値以下であるとき、加算処理を行う。
請求項３の画像処理装置及び請求項９の画像処理プログラムでは、処理手段は、基準値が予め決められた上限値以下で、かつ、予め決められた下限値以上である場合、全ての画像の明るさが上限値以下で、かつ、基準値を超えるときに平均処理を行い、全ての画像の明るさが基準値以下で、かつ、下限値以上であるときに加算処理を行う。
【０００７】
請求項４の画像処理装置及び請求項１０の画像処理プログラムでは、処理手段は、画像群を構成する各画像の明るさの最大値と最小値の差分値が所定の閾値より小さいと判断されたときに、平均処理、及び加算処理のいずれかが行われることを許容する。
請求項５の画像処理装置及び請求項１１の画像処理プログラムでは、処理手段は、全ての画像の撮像に用いた焦点が同じ場合のみ、平均処理及び加算処理のいずれかを行う。
【０００８】
請求項６の画像処理装置では、画面は、画像群を表示する。表示制御手段は、画面に、平均処理に用いられる画像群と加算処理に用いられる画像群とを区別して表示する。
請求項７の画像処理プログラムでは、コンピュータを、被写体像を撮像することにより得られた複数の画像から、撮像日時を示す日時データを用いて、連続して撮像された画像群を選択し、画像群を構成する各画像の明るさに応じて、各画像を構成する画像データを平均する平均処理及び、各画像を構成する画像データを加算する加算処理のいずれかを行う処理手段として機能させる。
【０００９】
請求項１２の画像処理プログラムでは、コンピュータを、画像群を表示する画面に、平均処理に用いられる画像群と加算処理に用いられる画像群とを区別して表示する表示制御手段として更に機能させる。
【発明の効果】
【００１０】
手順データの形式や内容を解析することなく、画像データの処理手順を識別でき、合成画像を生成できる。
【発明を実施するための最良の形態】
【００１１】
以下、本発明の実施形態を図面を用いて説明する。図１は本発明の画像処理装置及び画像処理プログラムの第１の実施形態を示している。パーソナルコンピュータ１０（画像処理装置）は、画像を表示するディスプレイ１２と、コマンドや数値等を入力するキーボード１４及びマウス１６と、制御装置１８と、ＣＤ−ＲＯＭ２０と、カードリーダ２２とを有している。
【００１２】
制御装置１８は、パーソナルコンピュータ１０内の各装置を制御するＣＰＵ２４（処理手段及び選択手段）、ハードディスク２６、メモリ２８及びドライブ装置３０を有している。ＣＤ−ＲＯＭ２０は、ドライブ装置３０に着脱可能に装着される。ＣＤ−ＲＯＭ２０がドライブ装置３０へ装着された後、キーボード１４やマウス１６を介して入力されるコマンドに応答して、ＣＤ−ＲＯＭ２０に保存されたプログラムがハードディスク２６にダウンロードされる。
【００１３】
カードリーダ２２は、ＵＳＢコード等を用いて制御装置１８に着脱可能に装着される。メモリカードＭＣは、フラッシュメモリ等で構成され、カードリーダ２２に着脱可能に装着される。メモリカードＭＣには、デジタルカメラ３２の撮像動作により得られた画像データや、図２で述べる画像データに関連した付帯データが保存される。
図２は、デジタルカメラ３２の内部構成を示している。デジタルカメラ３２は、レンズ系３４、絞り３６、シャッタ３８、ＣＣＤ４０、Ａ／Ｄ変換回路４２、ＣＰＵ４４及び、メモリーカードＭＣが着脱可能に装着されるスロット４６を有している。
【００１４】
レンズ系３４は、被写体に焦点を合わせるフォーカスレンズ及び被写体を光学的に拡大して撮影するためのズームレンズ等を含む複数枚のレンズにより構成される。フォーカスレンズ及びズームレンズは、図示しないレンズ駆動用ドライバにより光軸方向の位置が調節される。絞り３６は、レンズ系３４とシャッタ３８の間に配置される。絞り３６は、図示しない絞りドライバによって駆動される。絞り３６の絞り値は、レンズ系３４を通過した光の光量を絞るように調節される。
【００１５】
シャッタ３８は、レンズ系３４からＣＣＤ４０への光路を遮る位置に配置されるシャッタ膜（図示せず）を有している。シャッタ３８は、図示しないシャッタドライバによって駆動され、レンズ系３４を通過した光によってＣＣＤ４０が露光される露光時間を調節する。シャッタ膜は、レンズ系３４からＣＣＤ４０への光路を確保するために開く。
ＣＣＤ４０は、シャッタ３８を介してレンズ系３４に対向する位置に配置されている。ＣＣＤ４０は、図示しないＣＣＤドライバにより駆動され、レンズ系３４より結像される被写体像を連続して撮像することが可能である。ＣＣＤ４０による被写体像の連写は、後述するモード（１）〜（４）のいずれか（以下、連写撮影モード）で行われる。
【００１６】
（１）手振れ抑制モードでは、手振れが生じない程度の短い露光時間（例えば、１０ミリ秒）で被写体像が連続して撮像される。
（２）ノイズ低減モードでは、被写体像が暗いときにＣＣＤ４０の撮像感度を上げて、被写体像が連続して撮像される。
（３）ブラケット撮影モードでは、露出条件の異なる複数の画像を得るために、絞り値を変化させて被写体像が連続して撮像される。
【００１７】
（４）ボケ付加モードでは、前景と後景にそれぞれ焦点を合わせて、被写体像が連続して撮像される。
Ａ／Ｄ変換回路４２は、ＣＰＵ４４の制御によりＣＣＤ４０により撮像された画像をＡ／Ｄ変換し、画像データを生成する。ＣＰＵ４４は、デジタルカメラ３２内の各装置の動作を制御する。ＣＰＵ４４は、スロット４６を介してメモリーカードＭＣに、ＣＣＤ４０により得られた被写体像の画像データと、画像データに付帯する付帯データとを保存する。
【００１８】
画像データ及び付帯データは、例えば、Ｅｘｉｆ（Exchangeable Image File Format）に準拠した画像ファイルにまとめて保存される。付帯データには、画像ファイルが作成された日時（撮影が行われた日時）を示す日時データ、被写体像の撮像に用いた撮像条件（露光時間、絞り値及び、被写体に焦点が合うフォーカスレンズの合焦位置等）、及びカメラの各メーカーで独自に定義可能な画像データの処理手順を示す手順データ等が含まれる。
【００１９】
図３は、画像処理装置及び画像処理プログラムの第１の実施形態における画像処理動作を示している。図３に示す動作は、ＣＰＵ２４（選択手段及び処理手段）がハードディスク３０に格納されたプログラム（画像処理プログラム）を実行することによって実現される。
まず、ステップＳ１００において、ＣＰＵ２４は、カードリーダ２２を介してメモリーカードＭＣに保存された画像データ及び付帯データを順次読み出して、メモリ２８に書き込む。この後、処理はステップＳ１０２に移行する。
【００２０】
ステップＳ１０２において、ＣＰＵ２４は、上述のＥｘｉｆに準拠した画像データから、日時データが所定の値以下の時間間隔（例えば、１秒）で連なる画像データ群（以下、処理画像データ群）を選択する。なお、この所定の値以下の時間間隔は、通常の撮影モードでデジタルカメラ３２の起動や構図の決定等に要する時間（例えば、十数秒〜数分間）に比べて十分短い。このため、付帯データに標準的に含まれる日時データのみを用いて、処理画像データ群を上述の連写撮影モードで撮像された画像データ群として推定できる。この後、処理はステップＳ１０４に移行する。
【００２１】
ステップＳ１０４において、ＣＰＵ２４は、処理画像データ群を構成する処理画像毎に、処理画像データの画素値を積分することによって、処理画像データで表される画像（以下、処理画像）の画面内の明るさを求める。画素値の積分は、例えば、処理画像中の画面領域、または、一部の領域、あるいは、画面中の離散する画素の画素値の積分値を求める。この後、処理はステップＳ１０６に移行する。
【００２２】
ステップＳ１０６において、ＣＰＵ２４は、全ての処理画像の明るさが予め決められた基準値を超えるか否かを検出する。基準値を超えるとき、処理はステップＳ１０８に移行する。一方、全ての処理画像の明るさが基準値を超えないとき、処理はステップＳ１１０に移行する。
ステップＳ１０８において、ＣＰＵ２４は、処理画像データ群を上述のノイズ低減モードで撮像された画像データ群として識別し、処理画像間で算出された動きベクトルをもとに、各処理画像の位置を重ね合わせると共に、処理画像データに画素毎に係数（例えば、「１」以下）を乗算し、全ての処理画像データを加算平均する処理（以下、平均処理）を行うことによって合成画像データを生成する。この平均処理により、複数の処理画像に含まれるノイズ成分が低減される。このように、付帯データに含まれる手順データを用いることなく、処理画像データに平均処理を行うことができる。そして、画像処理装置及び画像処理プログラムの第１の実施形態における画像処理動作が終了する。
【００２３】
ステップＳ１１０において、ＣＰＵ２４は、全ての処理画像の明るさが基準値以下であるか否かを検出する。基準値以下であるとき、処理はステップＳ１１２に移行する。一方、全ての処理画像の明るさが基準値以下でないとき、処理はステップＳ１１４に移行する。
ステップＳ１１２において、ＣＰＵ２４は、処理画像データ群を上述の手振れ抑制モードで撮像された画像データ群として識別する。この識別により、ＣＰＵ２４は、日時データの順番で連なる処理画像間で、動きベクトルを用いて処理画像の位置を重ね合わせると共に、処理画像データに画素毎に係数（例えば、「１」）を乗算し、全ての処理画像データを加算する処理（以下、加算処理）を行うことによって合成画像データを生成する。この加算処理により、適正な露光の合成画像が生成される。このように、付帯データに含まれる手順データを用いることなく、処理画像データに加算処理を行うことができる。そして、画像処理装置及び画像処理プログラムの第１の実施形態における画像処理動作が終了する。
【００２４】
ステップＳ１１４において、ＣＰＵ２４は、処理画像データ群を上述のブラケット撮影モードで撮像された画像データ群として識別し、ディスプレイ１２を駆動して処理画像群を表示する処理（以下、ブラケット処理）を行う。このブラケット処理により、ユーザは処理画像群から好みの画像を探すことができる。
このように、ＣＰＵ２４は、全ての処理画像の明るさを基準値と比較するだけで処理画像データの各処理手順（平均処理、加算処理及びブラケット処理）を識別できる。このため、処理画像に施す処理の識別手順を簡素化できる。そして、画像処理装置及び画像処理プログラムの第１の実施形態における画像処理動作が終了する。
【００２５】
なお、上記第１の実施形態において、基準値より大きい上限値と、基準値より小さい下限値とを予め設定し、全ての処理画像の明るさが、設定された上限値と下限値との間の大きさであるときに、ステップＳ１０６〜ステップＳ１１４の処理を行うように構成してもよい。
この場合、全ての処理画像の明るさが、上限値と下限値の間にあるか否かの判定ステップは、ステップＳ１０４とステップＳ１０６の間に実行される。この判定ステップにおいて、全ての処理画像の明るさが、上限値と下限値の間にあると判定された場合には、ステップＳ１０６以降の処理が実行される。
【００２６】
一方、この判定ステップで、全ての処理画像の明るさが、上限値と下限値の間にあると判定されない場合には、階調補正処理が行われる。階調補正処理は、同一の被写体を明るく撮影した画像と暗く撮影した画像とを加算して、ダイナミックレンジの大きい画像を得ようとする補正処理である。
上記の上限値と下限値は、階調補正処理を行う２フレームの画像（明るい画像と暗い画像）の明るさによって決定される。すなわち、上限値は、階調補正時の明るい画像の明るさより小さく、かつその他の撮影モードで得られる画像の明るさより大きい値となるように、また、下限値は、階調補正時の暗い画像の明るさより大きく、かつその他の撮影モードで得られる画像の明るさより小さい値となるように設定する。
【００２７】
また、一連の画像群の中の各画像間で明るさの最大値と最小値とを求め、この差分値を閾値と比較して、階調補正処理を行う画像群を識別する構成としてもよい。すなわち、差分値が閾値より大きい場合には、階調補正を行う画像群と判断し、差分値が閾値以下の場合には、ステップＳ１０６以降の処理が実行される。但し、この閾値は、ブラケット撮影において得られる画像群の中の各画像間での明るさの最大値と最小値の差分値より大きく設定されるものとする。このような差分値と閾値との判定ステップも、ステップＳ１０４とステップＳ１０６との間に実行される。このような構成とすることにより、階調補正処理を行う画像群を、画像の明るさから識別することができる。
【００２８】
以上、第１の実施形態では、画像ファイルの付帯データに日時データのみが含まれる場合であっても、画像データの処理手順を識別できる。したがって、手順データを解析するための処理を不要にできる。このため、メーカノートに処理手順が記憶されていない古い画像データについても処理手順を識別できる。この結果、広範な画像データに対して平均処理及び加算処理のいずれかを行うことができ、ユーザにとって使い勝手の良い画像処理装置を提供できる。
【００２９】
図４は、画像処理装置及び画像処理プログラムの第２の実施形態における画像処理動作を示している。この実施形態では、ＣＰＵ２４が実行するためにハードディスク３０に格納されているプログラムが、画像処理装置及び画像処理プログラムの第１の実施形態と相違する。図４は、第１の実施形態（図３）のステップＳ１０２が実行された後、ステップＳ２００が実行され、ステップＳ２０２、Ｓ１０４のいずれかが実行される点を除いて、図３と同じである。
【００３０】
上述した図３と同じ処理については、詳細な説明を省略する。また、図４に示す動作は、ＣＰＵ２４（選択手段及び処理手段）がハードディスク３０に格納されたプログラム（画像処理プログラム）を実行することによって実現される。
まず、ステップＳ１００、Ｓ１０２が実行され、処理画像データ群が選択された後、ステップＳ３００において、ＣＰＵ２４は、処理画像データ群を構成する全ての処理画像データにおいて、付帯データに含まれるフォーカスレンズの合焦位置が同じであるか否かを検出する。合焦位置が同じであることを検出すると、処理はステップＳ１０４〜Ｓ１１４が実行され、画像処理装置及び画像処理プログラムの第３の実施形態における画像処理動作が終了する。一方、全ての処理画像データにおいて、合焦位置が異なることを検出すると、処理はステップＳ３０２に移行する。
【００３１】
ステップＳ３０２において、ＣＰＵ２４は、処理画像データ群を上述のボケ付加モードで撮像された画像データ群として識別し、処理画像データ群を構成する複数の処理画像データを用いてボケを付加する処理（以下、ボケ付加処理）を行って合成画像データを生成する。このボケ付加処理により、近景に焦点を合わせた画像と遠景に焦点を合わせた画像からボケ状態の変更された合成画像を得ることができる。このように、ＣＰＵ２４は、付帯データに含まれる手順データを用いることなく、処理画像データの各処理手順（平均処理、加算処理、ブラケット処理及びボケ付加処理）を識別できる。そして、画像処理装置及び画像処理プログラムの第２の実施形態における画像処理動作が終了する。
【００３２】
以上、第２の実施形態では、第１の実施形態と同様な効果を得ることができる。更に、手順データを用いることなく、処理画像データの各処理手順（平均処理、加算処理、ブラケット処理及びボケ付加処理）を識別でき、各処理を行うことができる。
なお、上述した第１及び第２の実施形態では、ＣＰＵ２４が日時データを参照して処理画像データ群を選択する例について述べた。本発明はかかる実施形態に限定されるものではない。例えば、図５に示すように、ＣＰＵ２４（表示制御手段）は、メモリーカードＭＣに書き込まれた画像データ及び付帯データを用いて、平均処理に用いられる処理画像群ＰＡと加算処理に用いられる処理画像群ＰＢを一覧表示用の縮小画像としてディスプレイ１２（画面）に表示する。
【００３３】
この表示により、ユーザは一連の処理画像群ＰＡ、ＰＢを一目で把握できるため、処理画像群ＰＡ、ＰＢに画像をそれぞれ追加するか、または、処理画像群ＰＡ、ＰＢから画像をそれぞれ削除するか等を判断できる。また、日時データやファイル名等の誤った書き換えによって、平均処理及び加算処理の対象外となった画像を処理画像群ＰＡ、ＰＢからそれぞれ排除できる。
【００３４】
図５のように、処理画像群ＰＡ、ＰＢ毎に異なる線種の枠線で囲い、あるいは、処理内容を示す文字列（「平均処理」、「加算処理」）を処理画像群ＰＡ、ＰＢにそれぞれ対応付けて表示することで、ユーザは、自身の意図する合成画像を得るために適した処理及び処理対象を容易に判断できる。なお、図６に示すように、処理内容を示す文字列（「平均処理」、「加算処理」）を処理後の合成画像ＳＰＡ、ＳＰＢにそれぞれ対応付けて表示するものでもよい。
【００３５】
上述した第１及び第２の実施形態では、処理手順を判断するために処理画像群の明るさを用いる例について述べた。本発明はかかる実施形態に限定されるものではない。ＣＰＵ２４は、付帯データに含まれる露出値（露光時間及び絞り値）を処理画像データ毎に予め決められた基準値と比較することによって、平均処理及び加算処理のいずれかを判断するものでもよい。
【００３６】
以上、本発明について詳細に説明してきたが、上記の実施形態及びその変形例は発明の一例に過ぎず、本発明はこれに限定されるものではない。本発明を逸脱しない範囲で変形可能であることは明らかである。
【産業上の利用可能性】
【００３７】
本発明は、撮像された複数の画像に画像処理を行う画像処理装置及び画像処理プログラムに適用される。
【図面の簡単な説明】
【００３８】
【図１】本発明の画像処理装置及び画像処理プログラムの第１の実施形態を示すブロック図である。
【図２】デジタルカメラの内部構成を示すブロック図である。
【図３】画像処理装置及び画像処理プログラムの第１の実施形態における画像処理動作を示すフローチャートである。
【図４】画像処理装置及び画像処理プログラムの第２の実施形態における画像処理動作を示すフローチャートである。
【図５】ディスプレイに表示された縮小画像を示す説明図である。
【図６】ディスプレイに表示された縮小画像を示す説明図である。
【符号の説明】
【００３９】
１０…パーソナルコンピュータ、１２…ディスプレイ、１４…キーボード、１６…マウス、１８…制御装置、２０…ＣＤ−ＲＯＭ、２２…カードリーダ、２４、４４…ＣＰＵ、２６…ハードディスク、２８…メモリ、３０…ドライブ装置、３２…デジタルカメラ、３４…レンズ系、３６…絞り、３８…シャッタ、４０…ＣＣＤ、４２…Ａ／Ｄ変換回路、４６…スロット、ＭＣ…メモリーカード
【図１】
2007124387.tif 000003
【図２】
2007124387.tif 000004
【図３】
2007124387.tif 000005
【図４】
2007124387.tif 000006
【図５】
2007124387.tif 000007
【図６】
2007124387.tif 000008